(57)【特許請求の範囲】
【請求項１】
建物に固定されるドア枠(1)と、このドア枠(1)に蝶番(3)を介して開閉できるように連結している扉(2)とからなる玄関ドアであって、
前記ドア枠(1)は、所定の幅を有する袖部(4)を有し、この袖部(4)にはインターホン(5)を固定して、このインターホン(5)の屋外側には開閉カバー(6)を設けて、開閉カバー(6)でインターホン(5)をカバーしており、
さらに、この袖部(4)には、扉(2)の開閉をロックするロック機構(7)のシリンダーケース(8)をインターホン(5)の上又は下、あるいは横に固定して、このシリンダーケース(8)のデットボルト(28)のロックを解除する鍵穴(9)を、袖部(4)の屋外側であって開閉カバー(6)の内側に配置しており、
前記開閉カバー(6)は、鍵穴(9)を隠蔽しながら、インターホン(5)の音声を通過させる音声透過開口(6A)を有し、この開閉カバー(6)を開いて鍵穴(9)に鍵(10)が脱着され、開閉カバー(6)を閉じてインターホン(5)が使用されるようにしてなる玄関ドア。
【請求項２】
前記開閉カバー(6)が、蝶番(3)を介して上縁を袖部(4)に開閉できるように連結しており、この開閉カバー(6)が自重で閉じられるようにしてなる請求項１に記載される玄関ドア。
【請求項３】
前記開閉カバー(6)が、係止具(16)で閉位置にロックされる請求項２に記載される玄関ドア。
【請求項４】
前記係止具(16)が施錠できるロック機構を備える請求項３に記載される玄関ドア。
【請求項５】
前記ロック機構(7)が電気錠である請求項１に記載される玄関ドア。
【請求項６】
前記開閉カバー(6)の開閉を検出する検出スイッチ(32)を設けて、この検出スイッチ(32)をインターホン(5)に接続しており、インターホン(5)は、検出スイッチ(32)の開信号を検出して室内側のインターホン(31)に警報信号を出力する請求項１に記載される玄関ドア。
【発明の詳細な説明】
【技術分野】
【０００１】
本発明は、ドア枠の袖部に扉をロックするロック機構を設けている玄関ドアに関する。
【背景技術】
【０００２】
ロック機構のシリンダーケースをドア枠の袖部に設けた玄関ドアは開発されている（特許文献１ないし３参照）。この構造の玄関ドアは、電気錠を設けるのに好都合である。それは、開閉する扉に電気錠の配線をする必要がないからである。また、この玄関ドアは、安全性も向上できる特徴がある。それは、ロック機構を室内で解除するサムターンを扉の開閉部から離した位置に配置できることから、侵入者が外部からサムターンでロックを解除するのが難しくなるからである。このことから、袖部にロック機構を設ける玄関ドアは、電気錠に最適である。ただ、電気錠は、リモコンでロックを解除することから、鍵穴に鍵を入れてロックを開閉する頻度が少なくなる。鍵穴に鍵を入れてロックを解除するのは、鍵の電池が切れ、あるいは故障したときであって、通常はリモコンでロックを解除する。このため、鍵穴に異物が詰まって、鍵を挿入してロックを解除しようとするときにスムーズにロックを解除できないことがある。この欠点は、特許文献１に記載するように、鍵穴の前面を、袖部の屋外側に着脱自在に設けている新聞受けでカバーして防止できる。また、鍵穴を新聞受けでカバーする玄関ドアは、鍵穴を隠蔽して安全性も向上できる。
【特許文献１】特開２００７−３２１５０号公報
【特許文献２】特開２００６−２１４１７３号公報
【特許文献３】特開２００７−９２４０７号公報
【発明の開示】
【発明が解決しようとする課題】
【０００３】
しかしながら、袖部の鍵穴を新聞受けでカバーする構造は、鍵穴に鍵を入れてロックを解除するのに手間がかかる欠点がある。それは、新聞受けを外して鍵穴に鍵を挿入するからである。とくに、引用文献１に記載するように、新聞受けをボルトで脱着できるように固定する構造は、新聞受けの脱着に手間が極めて手間がかかる。このため、鍵の電池が切れたり故障して鍵を使用してロックを解除するのに極めて手間がかかる。とくに、ユーザーの誰もが簡単に、しかも確実にロックを解除できない欠点がある。
【０００４】
本発明は、さらにこの欠点を解決することを目的に開発されたものである。本発明の重要な目的は、鍵を使用して簡単かつ容易に、しかも速やかにロックを解除できる玄関ドアを提供することにある。
また、本発明の他の大切な目的は、鍵穴を隠蔽して安全性を向上でき、さらに鍵穴に異物が侵入するのを防止できる玄関ドアを提供することにある。
【課題を解決するための手段】
【０００５】
本発明の玄関ドアは、前述の目的を達成するために以下の構成を備える。
玄関ドアは、建物に固定されるドア枠１と、このドア枠１に蝶番３を介して開閉できるように連結している扉２とからなる。ドア枠１は、所定の幅を有する袖部４を有し、この袖部４にはインターホン５を固定して、このインターホン５の屋外側には開閉カバー６を設けて、開閉カバー６でインターホン５をカバーしている。さらに、この袖部４には、扉２の開閉をロックするロック機構７のシリンダーケース８をインターホン５の上又は下、あるいは横に固定して、このシリンダーケース８のデットボルト２８のロックを解除する鍵穴９を、袖部４の屋外側であって開閉カバー６の内側に配置している。開閉カバー６は、鍵穴９を隠蔽しながら、インターホン５の音声を通過させる音声透過開口６Ａを有する。この玄関ドアは、開閉カバー６を開いて鍵穴９に鍵１０を脱着し、開閉カバー６を閉じてインターホン５を使用する。
【０００６】
本発明の請求項２の玄関ドアは、開閉カバー６が、蝶番３を介して上縁を袖部４に開閉できるように連結しており、この開閉カバー６が自重で閉じられるようにしている。さらに、本発明の請求項３の玄関ドアは、開閉カバー６を、係止具１６で閉位置にロックしている。さらに、本発明の請求項４の玄関ドアは、係止具１６が施錠できるロック機構を備えている。さらにまた、本発明の請求項５の玄関ドアは、ロック機構７を電気錠としている。
【０００７】
さらに、本発明の請求項６の玄関ドアは、開閉カバー６の開閉を検出する検出スイッチ３２を設けて、この検出スイッチ３２をインターホン５に接続している。このインターホン５は、検出スイッチ３２の開信号を検出して室内側のインターホン３１に警報信号を出力する。
【発明の効果】
【０００８】
本発明の玄関ドアは、鍵を使用して簡単かつ容易に、しかも速やかにロックを解除できる特徴がある。それは、本発明の玄関ドアが、袖部にインターホンと鍵穴の両方を設け、このインターホンと鍵穴を、鍵穴を隠蔽してインターホンの音声を透過させる音声透過開口のある開閉カバーでカバーしているからである。開閉カバーは、音声を通過できるのでこれを開くことなくインターホンを使用できる。このため、インターホンを便利に使用しながら、鍵穴を隠蔽できる。また、開閉カバーはインターホンと鍵穴を単にカバーするものであって、新聞受けのように別の物を収納し、あるいは別の用途に使用するものでなく、簡単に開閉できる。このため、本発明の玄関ドアは、鍵穴を隠蔽し、インターホンを保護しながら、鍵を使用するときには、開閉カバーを開いて鍵で簡単にロックを解除できる。
【０００９】
さらに、本発明の玄関ドアは、開閉カバーでもって、鍵穴を隠蔽して安全性を向上しながら、鍵穴に異物が侵入するのを防止できる特徴もある。
【００１０】
また、本発明の請求項２の玄関ドアは、請求項１の構成に加えて、開閉カバーの上縁を蝶番で袖部に開閉できるように連結して、自重で閉じられるようにしている。この構造の開閉カバーは、バネ等のように開閉カバーを閉じる機構を必要とせず、簡単な機構で、故障することなく長期間にわたって開閉カバーを確実に閉じることができる。さらに、本発明の請求項３の玄関ドアは、開閉カバーを係止具で閉位置にロックするので、開閉カバーを確実に閉位置に停止して、鍵穴を隠蔽できる。とくに、本発明の請求項４の玄関ドアは、係止具が施錠できるロック機構を備えているので、侵入者等に開かれるのを有効に防止して、より防犯性を高めることができる。また、本発明の請求項５の玄関ドアは、ロック機構を電気錠とするが、これを袖部に配設しているので、配線を簡単にできる。
【００１１】
さらに、本発明の請求項６の玄関ドアは、開閉カバーの開閉を検出する検出スイッチを設けて、この検出スイッチをインターホンに接続し、また、インターホンには、検出スイッチの開信号を検出して室内側のインターホンに警報信号を出力するようにしている。この玄関ドアは、開閉カバーが開かれるとインターホンが警報信号を発するので、より安全性を向上できる。侵入者が開閉カバーを開いて室内側のインターホンが警報信号を発生するからである。ユーザーが開閉カバーを開いても、室内側のインターホンが警報信号を発するが、ユーザーが鍵穴に鍵を挿入することはほとんどないので、仮にこの状態で警報信号が発生されても弊害はない。
【発明を実施するための最良の形態】
【００１２】
以下、本発明の実施例を図面に基づいて説明する。ただし、以下に示す実施例は、本発明の技術思想を具体化するための玄関ドアを例示するものであって、本発明は玄関ドアを以下の構造に特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図１に示す玄関ドアは、建物に固定されるドア枠１と、このドア枠１に蝶番３を介して開閉できるように連結している扉２とを備える。ドア枠１は、所定の幅を有する袖部４を一方の片側に設けている。この袖部４は、ドア枠１に開閉しないように固定している。袖部４は、ドア枠１よりも幅が広く、たとえば１０ｃｍ〜５０ｃｍとしている。袖部４は、図２ないし図４に示すように、インターホン５を固定している。インターホン５は、スピーカー１１とマイク１２と操作ボタン１３を備え、スピーカー１１とマイク１２と操作ボタン１３を屋外側に向けて固定している。袖部４は、対向する一対の表面プレート２０の内部にスピーカー１１とマイク１２と操作ボタン１３を内蔵している。屋外側の表面プレート２０は、スピーカー１１の音を透過させて外部に放射する貫通孔２１と、外来者が話す外部の音を内部に透過させる貫通孔２２と、操作ボタン１３を外部に表出させる貫通孔２３とを、スピーカー１１とマイク１２と操作ボタン１３の前面にそれぞれ開口している。スピーカー１１とマイク１２と操作ボタン１３は、リード線１４を介してインターホン５の制御回路（図示せず）に接続されている。袖部４に配設されるインターホン５は、配線３０を介して室内側のインターホン３１に接続している。
【００１５】
さらに、袖部４は、図２と図３に示すように、インターホン５の屋外側に開閉カバー６を設けている。開閉カバー６は、図４の一点鎖線で示すように、インターホン５をカバーすると共に、袖部４に固定されるロック機構７の鍵穴９もカバーする。したがって、開閉カバー６は上下に長く、インターホン５のスピーカー１１とマイク１２と操作ボタン１３の前面をカバーし、さらに、インターホン５の下方に配設される鍵穴９をカバーしている。図２と図３は、インターホン５の下方に鍵穴９を設けているが、鍵穴はインターホンの上方に設けることも、インターホンの横であって、ドア側に設けることもできる。開閉カバー６は、インターホン５の下又は上、あるいは横に設けられる鍵穴９をカバーする大きさとしている。
【００１６】
開閉カバー６は、上縁を蝶番１５で袖部４に開閉できるように連結している。この開閉カバー６は、自重で垂れ下がって、インターホン５と鍵穴９の前面をカバーする。すなわち、自重で閉位置に移動する。このため、バネなどを使用することなく、開閉カバー６を手から放して閉位置に移動できる。ただ、本発明の玄関ドアは、開閉カバーの一方の側縁を蝶番で袖部に連結し、あるいは下縁を蝶番で袖部に連結することもできる。側縁又は下縁を蝶番で袖部に連結する開閉カバーは、開いた状態に保持できる。したがって、開閉カバーを開いて鍵穴に鍵を挿入するのに好都合である。この構造の開閉カバーは、開いたままになることを防止するために、バネなどで閉じる位置に移動される。
【００１７】
開閉カバー６は、係止具１６で閉位置に係止される。係止具１６は、開閉カバー６を貫通する止ネジ１７である。止ネジ１７は、手で掴んで回転できるツマミ１７Ａを後端に設けている。止ネジ１７は、開閉カバー６を回転自在に貫通して、袖部４に設けた雌ネジ孔２５にねじ込まれる。止ネジ１７は、ツマミ１７Ａで回転されて、袖部４の雌ネジ孔２５にねじ込まれて、開閉カバー６を袖部４に固定する。開閉カバー６を開くとき、止ネジ１７はツマミ１７Ａを手で掴んで回転されて袖部４から外される。止ネジ１７の係止具１６は、開閉カバー６を確実に袖部４に固定できる。ただ、係止具１６には、図５に示すように、永久磁石１８も使用できる。永久磁石１８の係止具１６は、開閉カバー６を袖部４に吸着して固定する。この係止具１６でロックされる開閉カバー６は、強く引っ張って開くことができる。また、開閉カバー６を永久磁石１８に吸着して、閉位置にロックできる。さらにまた、開閉カバーは、より防犯性を高めるために、鍵付きの係止具で閉位置にロックすることもできる。この係止具は、たとえば、施錠できるロック機構を備える。この開閉カバーは、係止具のロック機構を施錠することで、侵入者に開かれるのを防止し、ユーザーがロック機構を解錠して開かれる。
【００１８】
図２と図３の袖部４は、屋外側の表面プレート２０に貫通孔２１、２２、２３を設けて、インターホン５のスピーカー１１とマイク１２と操作ボタン１３を表出させると共に、表面プレート２０に貫通孔２４を設けて鍵穴９を表出させている。この構造の袖部４は、平面状の開閉カバー６でインターホン５と鍵穴９をカバーできる。
【００１９】
さらに、図５の袖部４は、表面プレート２０の屋外側に、開閉カバー６を収納する凹部２６を設けて、開閉カバー６を袖部４の表面プレート２０と同一面に配置している。この構造は、袖部４の表面をすっきりとしたデザインにできる。また、開閉カバー６が袖部４の表面プレート２０と同一面にあって目立たなくして、鍵穴９をより安全に隠蔽できる。開閉カバー６が、開くことのできるカバーのイメージにならないからである。さらに、図５の袖部４は、開閉カバー６を収納する凹部２６の内側に、インターホン５を収納する嵌入凹部２７を設けている。この構造は、袖部４の屋外側に、簡単にインターホン５を配置できる。この玄関ドアは、たとえば、袖部４の嵌入凹部２７に、市販のインターホンを固定して、簡単かつ容易にインターホン５を所定の位置に配置できる。
【００２０】
さらに、図２ないし図５の袖部４は、扉２の開閉をロックするロック機構７のシリンダーケース８を一対の表面プレート２０の間に内蔵している。シリンダーケース８は、鍵穴９をインターホン５の下又は上、あるいは横に配置させるように配設される。このシリンダーケース８は、デットボルト２８のロックを解除する鍵穴９を、袖部４の屋外側であって開閉カバー６の内側に配置している。ロック機構７は、デットボルト２８のロックを解除するサムターン２９を室内側に配置して、鍵１０でロックを解除する鍵穴９を屋外側に配設している。
【００２１】
ロック機構７は電気錠で、鍵１０からリモコンでロックを解除できる。したがって、ロック機構７は、鍵１０から出力される電波や赤外線を受信し、受信する信号が鍵１０からの信号であることを確認して、ロックを解除する。電気錠のロック機構７は、鍵穴９に鍵１０を挿入することなくロックを解除できる。したがって、電気錠は、鍵１０の電池が切れ、あるいは故障して電波や赤外線を介してリモコンでロックを解除できないときに限って、鍵穴９に鍵１０を挿入してロックを解除する。ただし、本発明の玄関ドアは、ロック機構を必ずしも電気錠には特定しない。リモコンによらず、鍵穴に鍵を挿入してロックを解除する鍵とすることもできる。
【００２２】
図２ないし図５の袖部４は、インターホン５に接近して、インターホン５の下に鍵穴９を設けて、インターホン５と鍵穴９を開閉カバー６でカバーしている。鍵穴９は、図示しないがインターホンの上あるいは横に設けて、開閉カバーでカバーすることもできる。
【００２３】
開閉カバー６は、インターホン５と鍵穴９の両方をカバーし、これが開かれることなくインターホン５が使用され、これが開かれて鍵穴９に鍵１０が挿入される。この開閉カバー６は、閉じた状態でインターホン５を使用できるように、インターホン５の音声を通過させる音声透過開口６Ａと、操作ボタン１３を外部に表出させる操作窓６Ｂを開口して設けている。図２と図５の開閉カバー６は、スピーカー１１とマイク１２の前面に貫通孔を設けて音声透過開口６Ａとし、操作ボタン１３の前面に貫通孔を開口して操作窓６Ｂとしている。図２に示す音声透過開口６Ａは、全体をスリット状に開口して、内部に異物や指等が侵入するのを防止している。さらに、開閉カバー６の音声透過開口６Ａは、図３の鎖線で示すように、音声透過開口６Ａの内面を、音声で振動するシート１９で閉塞することもできる。この開閉カバー６は、これを閉じる状態で音声透過開口６Ａを雨水等が通過して、インターホン５のスピーカー１１やマイク１２に侵入するのを防止できる。開閉カバー６は、鍵穴９を隠蔽するので、鍵穴９の前面には開口部を設けない。
【００２４】
さらに、図２ないし図４の袖部４は、開閉カバー６の開閉を検出する検出スイッチ３２を設けている。検出スイッチ３２は、オンオフに切り変えるプランジャー３３を有するスイッチである。この検出スイッチ３２は、プランジャー３３が押される状態と、押されない状態でオンオフに切り変えられるスイッチである。この検出スイッチ３２は、閉じる開閉カバー６でプランジャー３３が押され、開かれた開閉カバー６でプランジャー３３が押されない位置に固定されて、開閉カバー６の開閉でオンオフに切り変えられる。また、検出スイッチには、図示しないが、接近する磁石でオンオフに切り変えられるリードリレーも使用できる。リードリレーからなる検出スイッチは、開閉カバーに永久磁石を固定してオンオフに切り変えられる。リードリレーと永久磁石は、開閉カバーを閉じる状態で互いに接近し、開閉カバーを開くと離れる位置に固定される。リードリレーは、開閉カバーが開かれて永久磁石が離れ、あるいは開閉カバーが閉じられて永久磁石が接近することでオンオフに切り変えられる。この検出スイッチは、永久磁石を、開閉カバーの係止具に併用することもできる。
【００２５】
検出スイッチ３２は、インターホン５の回線に接続されて、開閉カバー６の開状態を検出して、開信号をインターホン５に伝送する。インターホン５は、検出スイッチ３２の開信号を検出して室内側のインターホン３１に警報信号を出力する。室内側のインターホン３１は、検出スイッチ３２から開信号が入力されると、スピーカー３１Ａから警報音を発生し、あるいは音声で警報を発生して、開閉カバー６が開かれたことを室内の住民に知らせる。電気錠のロック機構７は、通常は、鍵穴９に鍵１０を挿入することなく、すなわち開閉カバー６を開くことなくロックが解除される。したがって、開閉カバー６が開かれるのは、侵入者がロックを解除しようとするときと、鍵１０が故障した時に限られる。したがって、開閉カバー６が開かれたことを室内側のインターホン３１が知らせることで防犯の安全性を向上できる。正常に鍵１０を使用してロックを解除するときに、開閉カバー６が開かれないからである。
【図面の簡単な説明】
【００２６】
【図１】本発明の一実施例にかかる玄関ドアの正面図である。
【図２】図１に示す玄関ドアの袖部を示す斜視図である。
【図３】図２に示す袖部のＡ−Ａ線断面図である。
【図４】図２に示す袖部の開閉カバーを取り除いた正面図である。
【図５】本発明の他の実施例にかかる玄関ドアの袖部を示す断面図である。
【符号の説明】
【００２７】
１…ドア枠
２…扉
３…蝶番
４…袖部
５…インターホン
６…開閉カバー                ６Ａ…音声透過開口
６Ｂ…操作窓
７…ロック機構
８…シリンダーケース
９…鍵穴
１０…鍵
１１…スピーカー
１２…マイク
１３…操作ボタン
１４…リード線
１５…蝶番
１６…係止具
１７…止ネジ                  １７Ａ…ツマミ
１８…永久磁石
１９…シート
２０…表面プレート
２１…貫通孔
２２…貫通孔
２３…貫通孔
２４…貫通孔
２５…雌ネジ孔
２６…凹部
２７…嵌入凹部
２８…デットボルト
２９…サムターン
３０…配線
３１…室内側のインターホン    ３１Ａ…スピーカー
３２…検出スイッチ
３３…プランジャー
【図１】
0005014057.tif 000002
【図２】
0005014057.tif 000003
【図３】
0005014057.tif 000004
【図４】
0005014057.tif 000005
【図５】
0005014057.tif 000006